(57)【要約】【課題】スクイズキャップ装着部を短くすることが可能な管変形防止工具を提供する。ガス漏れや水漏れを防止することが可能な管端処理方法を提供する。【解決手段】管変形防止工具１は、口径の異なる複数種の管１０の外周面の少なくとも一部が内接される半円弧状受容部２２ａ、２２ｂを有する一対の可動部材２ａ、２ｂと、この可動部材間に着脱可能に保持されるスペーサ部材４ａ、４ｂと、この可動部材に差し込まれる一対のボルト３ａ、３ｂとを有する。また既設管１０の所定位置の周囲に、半円弧状受容部２２ａ、２２ｂを有する一対の可動部材３ａ、３ｂをセットし、既設管１０の外径に応じて可動部材２ａ、２ｂの間隔を調整することにより既設管１０の外周面に半円弧状受容部２２ａ、２２ｂの少なくとも一部を密着させて管１０を拘束した後に、そこから離間した位置で既設管１０を封止・切断する。【選択図】        図１
2005009642.tif 000002
【特許請求の範囲】
【請求項１】
口径の異なる複数種の管の外周面の少なくとも一部が内接される半円弧状受容部を有する一対の可動部材と、前記可動部材の少なくとも一方に着脱可能に保持されるスペーサ部材と、前記可動部材に差し込まれる締結部材とを有することを特徴とする管変形防止工具。
【請求項２】
前記可動部材間に前記スペーサ部材が介在された時に前記半円弧状受容部の全面が最大曲率を有する管の外周面に密着されることを特徴とする請求項１記載の管変形防止工具。
【請求項３】
内部を流体が流動する管の所定位置に、半円弧状受容部を有する一対の可動部材を配置し、前記管の口径に応じて前記可動部材の間隔を調整することにより前記管の外周面に前記半円弧状受容部の少なく共一部を密着させた後に、その位置から離間した位置で前記管を封止・切断することを特徴とする管端処理方法。
【発明の詳細な説明】
【０００１】
【発明の属する技術分野】
本発明は、例えばガスが流通する埋設供給管の途中を遮断する際に使用される管変形防止工具及びそれを用いた管端処理方法に関する。
【０００２】
【従来の技術】
例えばガス配管や水道配管等において、地中に埋設された本管から分岐管が取り出されて、需要者側の配管に接続されている。通常の埋設配管においては、本管は地面からの埋設深さが定められており、例えば宅地より外の道路等では、誤って本管を掘削してしまう、あるいは地盤沈下等で本管を損壊するのを防止するために地面から０．６ｍから１．２ｍもしくはそれ以上の深さに埋設することが義務付けられている。この種配管においては、鋳鉄管又は塩化ビニール管に代わって、耐食性に優れ又地震時の地盤変異に対して追随できる伸びを有するという利点をもつポリオレフィン系樹脂管（例えばＰＥ管）が多用されている。鋼管を用いた配管においては、老朽化した鋼管の修理や交換を行う場合には、修理箇所の両端においてスクイズオフ工具を設置して鋼管を押し潰すことによる管路の遮断を行い（例えば特許文献１参照）、次いで修理箇所を切断してそこに補修用樹脂管を接続した後に、管路の遮断時に扁平に変形した部分を所定の治具で矯正して元の状態（真円状）に復元することが行われている。特許文献１に記載されたスクイズオフ工具によれば、作業者がハンドルを握って、配管の閉塞部をＶ字形の切断刃と受刃とで押潰して切断すると共に、その切断管端を押圧体と受圧体とで波形に圧着閉塞される。またスクイズオフ工具による管路遮断後の矯正装置としては、種々の構造のものが提案されている。例えば特許文献２には、弾性管を挟むよう対向にして配置した一対の加圧部が接近移動することにより、弾性管を扁平に圧潰させて遮断し、圧潰方向と交差する方向に加圧して円形に復元させると共に、加圧部を最大口径の弾性管と嵌合する半円形の凹状に形成し、加圧部に最大口径の弾性管より小口径の弾性管と嵌合する半円形凹状の復元パーツと圧潰用加圧体を着脱自在に取り付けた装置が記載されている。特許文献３には、ヒンジ結合された一対の半割りリングの一方の自由端部に掛合突部を設け、他方の自由端部に掛合突部に掛脱する締め付けボルト付きの掛け金を回動自在に枢着し、掛け金を掛合突部に掛けた状態で締め付けボルトを締め込むことによりリングを閉鎖する工具が記載されている。
【０００３】
上記修理や交換に加えて次のような場合にスクイズオフ工具が使用される。すなわち需要者側の配管が使用されなくなった場合には、それに接続される分岐管の所定位置（例えば民地側）を掘削してそこにスクイズオフ工具を設置して、この工具で管の押し潰し及び切断を行った後、切断部に保護キャップを被せることにより、ガス漏れを防止している。この種保護キャップは、例えば特許文献４に記載されるような構造を有する。すなわち特許文献４に記載されたキャップ（鋼管スクイズキャップ）は、鋼管をスクイズした管端部を覆うゴムキャップと、その閉止端側を覆う本体と、鋼管のスクイズ変形した外面にスクイズ端側へ係止する固定具と、固定具に係止して本体を鋼管のスクイズ端側から元側へ押し付ける締め付け具とから構成される。一方需要者側の配管の使用を再開する場合には、保護キャップが装着された部分（キャップ装着部）を切断・除去し、継手を介して別の供給管と接続される。スクイズオフ工具で分岐管の一部を押し潰すと、扁平部を含む変形部が形成される。
【０００４】
【特許文献１】
特公平５−８５２８４号公報（第２−４頁、図２）
【特許文献２】
特開２００１−２９５９８０号公報（第３−５頁、図１）
【特許文献３】
特開平８−１７８１７０号公報（第３−４頁、図３）
【特許文献４】
特開２０００−２４９２８４公報（第２−３頁、図１）
【０００５】
【発明が解決しようとする課題】
しかしながら、キャップ装着部が需要者側の敷地内に長く伸びていると、例えば需要者側の敷地内で掘削工事が行われた場合に掘削機械で管が破損し、そこからガス漏れが発生することが懸念される。このような不具合を解消するために、キャップ装着部をできるだけ短くすることが必要とされるが、従来はスクイズオフ工具により管を押し潰して扁平部の端部を切断するだけの作業であり、かなりの長さで管が変形するため、キャップ装着部を短くできないという問題があった。また、新設管と既設管を接続させる場合、既設管の管端からキャップを取り外し、既設管の管端の変形部分を切断除去して真円部分にした後、新設管と接続させるが、既設管が側溝の近くに配管されている場合には、変形部分の寸法が長ければ、真円部分の寸法が十分に取れず、新設管と接続できない問題もあった。
【０００６】
従って本発明の目的は、従来技術の問題点を解決し、スクイズオフ工具で切断された管の端部に形成される保護キャップ装着部を短くすることが可能な管変形防止用工具を提供することである。
【０００７】
従って本発明の他の目的は、従来技術の問題点を解決し、流体漏れを防止することが可能な管端処理方法を提供することである。
【０００８】
【課題を解決する手段】
上記目的を達成するために、本発明の管変形防止工具においては、口径の異なる複数種の管の外周面の少なくとも一部が内接される半円弧状受容部を有する一対の可動部材と、前記可動部材間に着脱可能に保持されるスペーサ部材と、前記可動部材に差し込まれる締結部材とを有することを特徴とするものである。
【０００９】
本発明の管変形防止工具によれば、管の切断部に近接した位置において、管の外周面の少なくとも一部が半円弧状受容部に内接された状態で管が拘束されるので、管が変形する部分の長さを短くすることができる。また一対の可動部材に形成された半円弧状受容部の内接円の直径は、広範囲に亘って調整されるので、複数種類の口径を有する管を拘束することが可能となる。
【００１０】
本発明の管変形防止工具においては、前記スペーサ部材が介在された時に最大曲率を有する管が挟着されることが好ましい。
【００１１】
上記他の目的を達成するために、本発明の管端処理方法においては、内部を流体が流動する管の所定位置に、半円弧状受容部を有する一対の可動部材を配置し、前記管の口径に応じて前記可動部材の間隔を調整することにより前記管の外周面に前記半円弧状受容部の少なくとも一部を密着させた後に、そこから離間した位置で前記管を封止・切断することを特徴とするものである。
【００１２】
【発明の実施の形態】
以下、本発明の詳細を図面に基づいて説明する。図１〜図３は本発明の管端処理方法を説明するための配管部の概略断面図、図４は管端部の縦断面図、図５は図４のＡ−Ａ線断面図、図６は本発明の一実施の形態に係わる管変形防止工具の一部を破断した正面図、図７は図６をＢ方向からみた矢視図、図８は図６に示す管変形防止工具の他の使用状態を示す一部を破断した正面図、図９は本発明の他の実施の形態に係わる管変形防止工具の一部を破断した正面図、図１０は図９をＣ方向からみた矢視図である。
【００１３】
本発明の管変形防止工具１によれば、例えば次のようにして分岐管（ガス管）の端部を封止することができる。まず図１に示すように、地中１１の道路１２側から民地１３側に既設管１０（鋼管）が埋設された状態で、民地１３側でのガスの使用を中止する場合には、民地１３側の入口にスクイズカッター１４を設置し、その近傍に管変形防止工具１を装着することにより、既設管１０の外周面を管変形防止工具１で拘束する。しかる後、スクイズカッター１４を作動することにより、既設管１０を切断し、図２に示すようにスクイズキャップ１５を被せてガスを遮断する。一方民地１３側でのガスの使用を再開する場合には、スクイズキャップを取り外して変形部（非円形部）を切断・除去した後、図３に示すようにトランジション継手１６（例えば日立金属社製メカＰＣＭＧトランジションソケット）及びエレクトロヒュージョン継手１７（例えば日立金属社製ソケット｛ＥＦＹ−Ｓ｝）を介して民地１３側に敷設されるガス管１８（ＰＥ管）と接続される。
【００１４】
上述した如くスクイズカッター１４で既設管１０を切断した場合、その切断部付近は、図４及び図５に示すように扁平部１０ａと直径ｄｘ及びｄｙ（ｄｘ≠ｄｙ）の断面楕円形の変形部１０ｂが形成される。ここで既設管１０が管変形防止工具１で拘束されている場合には、管変形防止工具１が無い場合よりも、変形部１０ｂの長さｌが短くなるので、図２に示す民地１３側への側溝からの突出長さａを短くすることができる。
【００１５】
上記の管変形防止工具１は、例えば図６乃至図８に示す構造を有する。すなわち、管変形防止工具１は、図６及び図７に示すように全体が直方体状に形成され、既設管１０をその管軸と交差（直交）する方向から挟み付ける一対の可動部材２ａ、２ｂと、可動部材２ａ、２ｂにそれぞれ既設管１０の管軸と交差（直交）する方向に形成された雌ねじ部２１ａ、２１ｂにねじ込まれる一対のボルト３ａ、３ｂを含む締付部材と、ボルト３ａ、３ｂに装着されたリング状のスペーサ部材４ａ、４ｂを備えている。可動部材２ａ、２ｂの両者が対向する面には、口径の異なる複数の既設管１０が内接（密着）されるようにするために、対象とする既設管１０の内最小の口径（ｄ）を有する既設管１０の半径よりも大なる曲率半径（Ｄ）を有する円弧状受容部２２ａ、２２ｂが形成されている。この管変形防止工具１によれば、例えば口径が２５Ａ〜３２Ａの既設管１０を次のようにして拘束することができる。口径が２５Ａの既設管１０を拘束する場合は、可動部材２ａ、２ｂの端面を密着させかつボルト３ａ、３ｂと可動部材２ａとの間にスペーサ部材４ａ、４ｂを挟着した状態でボルト３ａ、３ｂを締め付けることにより、既設管１０の外周面の一部（約１／４円周）と円弧状受容部２２ａ、２２ｂの内周面とが密着した状態で、既設管１０の押し潰し及び切断が行われる。また口径が３２Ａの既設管１０を拘束する場合は、図８に示すように可動部材２ａ、２ｂの間に所定厚さｔを有するリング状のスペーサ４ａ、４ｂを介装してからボルト３ａ、３ｂで締付けることにより、既設管１０の外周面の大半は円弧状受容部２２ａ、２２ｂに内接して可動部材２ａ、２ｂにより拘束される。従って既設管１０の口径に応じて円弧状受容部２２ａ、２２ｂに内接する円の直径を調整できるので、口径が異なる既設管１０を拘束することが可能となり、既設管１０の封止（押し潰し）と切断を行う際に既設管１０が変形する部分の長さを短くすることができる。すなわち上記の管変形防止工具１によれば、可動部材２ａ、２ｂを準備しておけば、スペーサの厚さｔを適宜選定することにより、口径が異なる複数種類の既設管のスクイズオフ作業に対して適用可能である。
【００１６】
本発明の管変形防止工具は、上記の構造に限らず図９及び図１０に示す構造でもよい。図９及び図１０において図６乃至図８と同一機能部分は同一の参照符合で示す。管変形防止工具１は、締結部材として植え込みボルト３１ａ、３１ｂとナット３２ａ、３２ｂを使用した以外は図１と同様である。この管変形防止工具１を構成する各部品の紛失を防止するために、植え込みボルト３１ａ、３１ｂを、例えばスポット溶接４１などによりその端面を可動部材２ｂに固着した状態で保管しておくことが好ましい。
【００１７】
【発明の効果】
以上に記述のごとく本発明の管変形防止工具によれば、既設管の外周面の少なくとも一部と密着する受容面を有する一対の可動部材により既設管を拘束するので、複数種の口径を有する既設管をスクイズオフした時の変形代が短くなり、スクイズキャップ装着部を短くすることができる。本発明の管端処理方法によれば、スクイズキャップ装着部が短くなり、需要者側の土地に伸びる部分が短くできるため、需要者側での工事に起因する供給管の破損によるガス漏れや水漏れを防止することができる。
【図面の簡単な説明】
【図１】本発明の一実施の形態に係わる管端処理方法を説明するための配管部の概略断面図である。
【図２】本発明の一実施の形態に係わる管端処理方法を説明するための配管部の概略断面図である。
【図３】本発明の一実施の形態に係わる管端処理方法を説明するための配管部の概略断面図である。
【図４】スクイズオフされた既設管の管端部の縦断面図である。
【図５】図４のＡ−Ａ線断面図である。
【図６】本発明の一実施の形態に係わる管変形防止工具の一部を破断した正面図である。
【図７】図１をＢ方向から見た矢視図である。
【図８】図６の管変形防止工具の他の使用状態を示す一部を破断した正面図である。
【図９】本発明の他の実施の形態に係わる管変形防止工具の一部を破断した正面図である。
【図１０】図９をＣ方向から見た矢視図である。
【符号の説明】
１：管変形防止工具、２ａ、２ｂ：可動部材、２１ａ、２１ｂ：雌ねじ部、２２ａ、２２ｂ：円弧状受容部、３ａ、３ｂ：ボルト、３１ａ、３１ｂ：植え込みボルト、３２ａ、３２ｂ：ナット、４ａ、４ｂ：スペーサ部材、４１：スポット溶接、１０：既設管、１０ａ：扁平部、１０ｂ：変形部、１１：地中、１２：道路、１３：民地、１４：スクイズカッター、１５：スクイズキャップ、１６：トランジション継手、１７：エレクトロヒュージョン継手、１８：ガス管
【図１】
2005009642.tif 000003
【図２】
2005009642.tif 000004
【図３】
2005009642.tif 000005
【図４】
2005009642.tif 000006
【図５】
2005009642.tif 000007
【図６】
2005009642.tif 000008
【図７】
2005009642.tif 000009
【図８】
2005009642.tif 000010
【図９】
2005009642.tif 000011
【図１０】
2005009642.tif 000012